(57)【要約】【課題】ピッキング設備などに適用して設置したＬＥＤ表示器について、その点灯状態を作業員が容易に目視確認できるように改良した視認性の高いＬＥＤ表示器を提供する。【解決手段】複数のＬＥＤ２をプリント基板に３マウントして表示器ケース１に内装し、かつ前記ケースの前面に照光カバー５を配した構成になるＬＥＤ表示器において、プリント基板３の前方に、ＬＥＤ２と個々に対応して開口した穴６ａ，および該穴の周域にＬＥＤ２の出射光を前方に向けて反射させる反射面６ｂを形成した一体形のリフレクタ６を配し、該リフレクタ６をプリント基板３に重ねて表示器ケース１の内部に装着する。【選択図】図１
2010175827.tif 000002
【特許請求の範囲】
【請求項１】
複数のＬＥＤをプリント基板にマウントして表示器ケースに内装し、かつ前記ケースの前面に照光カバーを配した構成になるＬＥＤ表示器において、
前記プリント基板の前方に、各ＬＥＤと個々に対応して開口した穴，および該穴の周域にＬＥＤの出射光を前方に向けて反射させる反射面を形成した一体形のリフレクタを配し、該リフレクタをプリント基板上に重ねて表示器ケースの内部に装着したことを特徴とするＬＥＤ表示器。
【請求項２】
請求項１に記載のＬＥＤ表示器において、表示器ケースの前部内周面域に反射面を形成したことを特徴とするＬＥＤ表示器。
【請求項３】
請求項１に記載のＬＥＤ表示器において、リフレクタの前面側に各ＬＥＤと個々に対応するインナー集光レンズを配置したことを特徴とするＬＥＤ表示器。
【請求項４】
請求項３に記載のＬＥＤ表示器において、各ＬＥＤと個々に対応するインナー集光レンズを、リフレクタに形成した反射面の開口端部に嵌合支持したことを特徴とするＬＥＤ表示器。
【請求項５】
請求項３に記載のＬＥＤ表示器において、各ＬＥＤと個々に対応するインナー集光レンズを一体化して一枚の集合レンズに形成した上で、該集合レンズをリフレクタと照光カバーとの間に介装配置したことを特徴とするＬＥＤ表示器。
【請求項６】
請求項１に記載のＬＥＤ表示器において、照光カバーに集光レンズを一体形成したことを特徴とするＬＥＤ表示器。
【請求項７】
請求項６に記載のＬＥＤ表示器において、照光カバーの前面に形成した集光レンズが、ＬＥＤと個々に対応する小レンズの集合レンズであることを特徴とするＬＥＤ表示器。
【請求項８】
請求項１に記載のＬＥＤ表示器において、表示器ケースにプリント基板，リフレクタ，照光カバーを搭載した表示器本体に取付フレームを組合せ、該取付フレームに対し表示器本体の姿勢を調整可能に連結支持したことを特徴とするＬＥＤ表示器。
【請求項９】
請求項８に記載のＬＥＤ表示器において、取付フレームが据付け面に固定する取付脚を備えた円筒胴と、該円筒胴の前端部に嵌入して表示器ケースを傾動可能に保持するリング状の支持ガイドとからなり、かつ円筒胴の開口端周縁には前記支持ガイドの周面に設けたリブ部を嵌合して該支持ガイドを位置決め保持する調整溝を周上の複数箇所に振り分けて形成したことを特徴とするＬＥＤ表示器。
【請求項１０】
請求項９に記載のＬＥＤ表示器において、表示器ケースの周面二箇所に１８０度位置をずらして一対の支軸を突設するとともに、支持ガイドには前記支軸を嵌入して表示器ケースを傾動可能に架け渡し支持する角度調整溝を形成したことを特徴とするＬＥＤ表示器。
【請求項１１】
請求項５に記載のＬＥＤ表示器において、集合レンズ型インナー集光レンズの外周側にリング状の支持ガイドを組合せ、該支持ガイドに集合レンズを傾動可能に連結支持した上で、前記支持ガイドを表示器ケースの開口端部に嵌合して周方向の位置を調整可能に保持したことを特徴とするＬＥＤ表示器。
【請求項１２】
請求項１１に記載のＬＥＤ表示器において、インナー集光レンズの周縁に箇所に１８０度位置をずらして一対の支軸を突設し、かつ支持ガイドに前記支軸を嵌入して集光レンズを傾動可能に架け渡し支持する角度調整溝を形成するとともに、表示器ケースの開口端周縁には前記支持ガイドの周上に設けたリブ部を嵌合して該支持ガイドを位置決め保持する調整溝を周上の複数箇所に振り分けて形成したことを特徴とするＬＥＤ表示器。
【請求項１３】
請求項１０，１２に記載のＬＥＤ表示器において、支軸と角度調整溝との間にノッチ機構を付けて角度調整することを特徴とするＬＥＤ表示器。
【発明の詳細な説明】
【技術分野】
【０００１】
この発明は、例えば物流管理システムにおいて、中央指令装置から現場の作業員にピッキング作業を指示する表示器などに適用するＬＥＤ表示器に関する。
【背景技術】
【０００２】
物流倉庫や配送センターなどに備えた物品のピッキング設備として、物品保管棚の各棚区分，および該保管棚から取り出した商品を搬送コンベアに受け渡す案内体（中継トレー）に表示器を配置しておき、この表示器を点灯制御して中央指令装置から現場の作業員にピッキング作業を指示するようにした方式が知られている（例えば、特許文献１）。
【０００３】
このピッキング設備（特許文献１）では、作業エリアに設置した物品保管棚、および保管棚から取り出した物品を次の出荷作業工程に搬送するコンベアに受け渡す案内体（コンベヤに沿って並ぶ傾動式の中継トレー）に対し、前記保管棚の各棚区分に対応する棚フレームの前面，および案内体ごとに表示器（照光ランプ）を備えておき、作業員は中央指令装置からの指令を受けて点灯した表示器を見て指定の棚区分から物品を取り出した後、表示器の点灯している案内体に物品を載せて搬送コンベアに受け渡すようにしている。
【０００４】
ここで、前記表示器は、低消費電力で高輝度に発光するＬＥＤ表示器が一般に採用されている。このＬＥＤ表示器は、複数のＬＥＤ（発光ダイオード）をプリント基板にマウントして表示器ケースに内装し、該ケースの前面に照光カバーを配してＬＥＤの点灯を照光するようにした構成になる。
【０００５】
なお、同じ作業エリアで複数の作業員がピッキング作業を行うような規模の大きいピッキング設備では、前記表示器に発光色の異なる複数組のＬＥＤを備えた上で、作業員には担当する"色"を割り当ておき、作業員は中央指令装置からの指令により自分が担当する "色"のＬＥＤが点灯した表示器の棚区分にアクセスしてピッキング作業を行うようにした方式も知られている。
【先行技術文献】
【特許文献】
【０００６】
【特許文献１】特開２００８−１７９４２６号公報（図１−２）
【発明の概要】
【発明が解決しようとする課題】
【０００７】
ところで、先記の物流管理システムに適用するＬＥＤ表示器には、物品保管棚の棚区分ごとに設置した表示器の点灯状態を保管棚の前方に立って作業する作業員が容易，かつ的確に目視確認できるような高い視認性の表示機能が要求される。
【０００８】
かかる点、ピッキング設備の物品保管棚は背丈，間口も大きく、この棚内には個々の棚区分が上下段，左右列に仕切られている。このために、物品保管棚の前方近くに立った姿勢でピッキング作業を行う作業員は、目線高さよりも高い位置，あるいは足下の低い段位置に並ぶ棚区分に設置したＬＥＤ表示器については、急峻な目線角度で見上げるか、あるいは見下ろしてＬＥＤ表示器の点灯状態を目視することになる。また、作業員の位置から離れた保管棚の左右端側に並ぶ棚区分のＬＥＤ表示器は斜め横方向から目視することになる。
【０００９】
このために、ＬＥＤ表示器には高輝度な照射面であるほか、照光の指向性も重要な要件となる。すなわち、物品保管棚の上下各段の棚区分ごとに取付けたＬＥＤ表示器が照光面を全て保管棚の正面に向けて設置されていると、作業員の目線よりも上段，下段側に並ぶ棚区分に設置したＬＥＤ表示器、および作業員の位置から左右に遠く離れて並ぶ棚区分のＬＥＤ表示器についてはその点灯状態が視認し難くなると言った問題がある。また、先記の案内体に設置したＬＥＤ表示器についても同様な視認性の問題がある。
【００１０】
そこで、この発明の目的は、前述したピッキング設備などに適用する表示器として、作業員の目線から離れた位置に並ぶ表示器についても、その点灯状態が容易，かつ的確に目視確認できるように改良した視認性に優れたＬＥＤ表示器を提供することにある。
【課題を解決するための手段】
【００１１】
上記目的を達成するために、この発明によれば、複数のＬＥＤをプリント基板にマウントして表示器ケースに内装し、かつ前記ケースの前面に照光カバーを配した構成になるＬＥＤ表示器において、
前記プリント基板の前方に、各ＬＥＤと個々に対応して開口した穴，および該穴の周域にＬＥＤの出射光を前方に向けて反射させる反射面を形成した一体形のリフレクタを配し、該リフレクタをプリント基板上に重ねて表示器ケースの内部に装着する（請求項１）。
【００１２】
また、この発明によれば、前記構成のＬＥＤ表示器の基本構造として、次記のような付加的要件を加えた態様で構成するものとする。
（１）リフレクタの設置に併せて、表示器ケースの前部内周面域に反射面を形成する（請求項２）。
（２）前記リフレクタの前面側に各ＬＥＤと個々に対応するインナー集光レンズを配置する（請求項３）。
（３）前項（２）において、各ＬＥＤと個々に対応するインナー集光レンズを、前記リフレクタに形成した反射面の開口端部に嵌合して所定位置に保持する（請求項４）。
（４）前項（２）において、各ＬＥＤと個々に対応するインナー集光レンズを一体化して一枚の集合レンズに形成した上で、該集合レンズをリフレクタと照光カバーとの間に介装配置する（請求項５）。
（５）前記表示器ケースの前面に配した照光カバーに集光レンズを一体形成する（請求項６）。
（６）前項（５）において、集光レンズを、ＬＥＤと個々に光軸を合わせ形成した小レンズの集合レンズで構成する（請求項７）。
（７）表示器ケースにプリント基板，リフレクタ，照光カバーを搭載した表示器本体に取付フレームを組合せ、該取付フレームに表示器本体の姿勢を調整可能に連結支持する（請求項８）。
（８）前項（７）において、取付フレームが据付け面に固定する取付脚を備えた円筒胴と、該円筒胴の前端部に嵌入して表示器ケースを傾動可能に保持するリング状の支持ガイドとからなり、かつ円筒胴の開口端周縁には前記支持ガイドの周面に設けたリブ部を嵌合して該支持ガイドを位置決め保持する調整溝を周上の複数箇所に振り分けて形成する（請求項９）。
（９）前項（８）において、表示器ケースの周面二箇所に１８０度位置をずらして一対の支軸を突設するとともに、支持ガイドには前記支軸を嵌入して表示器ケースを傾動可能に架け渡し支持する角度調整溝を形成する（請求項１０）。
（１０）前項（４）において、リフレクタと照光カバーとの間に介装した集合レンズ型のインナー集光レンズについて、その外周側にリング状の支持ガイドを組合せ、該支持ガイドに前記集光レンズを傾動可能に連結支持した上で、前記支持ガイドを表示器ケースの開口端部に嵌合して周方向の位置を調整可能に保持する（請求項１１）。
（１１）前項（１０）において、インナー集光レンズの周縁二箇所に１８０度位置をずらして一対の支軸を突設し、かつ支持ガイドに前記支軸を嵌入して集光レンズを傾動可能に架け渡し支持する角度調整溝を形成するとともに、表示器ケースの開口端周縁には前記支持ガイドの周上に設けたリブ部を嵌合して該支持ガイドを位置決め保持する調整溝を周上の複数箇所に振り分けて形成する（請求項１２）。
（１２）前項（９），（１１）において、支軸と角度調整溝との間にノッチ機構を付けて角度調整を行うようにする（請求項１３）
【発明の効果】
【００１３】
上記したＬＥＤ表示器の構成によれば、次記の効果を奏することができる。
（１）前記プリント基板の前方に各ＬＥＤの周域を囲繞してリフレクタを配置する（請求項１）ことにより、個々のＬＥＤからの出射光を前方の照光カバーに向け導光して高い指向性を確保できる。しかも、リフレクタを一体形とすることでその構造，および表示器ケースへの組込みが簡単になる。
（２）表示器ケースの前部内周面域に反射面を形成する（請求項２）ことにより、該反射面が前記リフレクタと共同してＬＥＤの出射光を照光カバーに向けて効率よく導光できる。
（３）また、前記リフレクタの前面側に各ＬＥＤと個々に対応するインナー集光レンズを配置する（請求項３〜５）、あるいは照光カバーに集光レンズを一体形成する（請求項６，７）ことにより、指向性を一層高めることができる。この場合に、集光レンズを集合レンズとして、集合レンズの小レンズを各ＬＥＤと個々に光軸を合わせて形成することで照光面の輝度，および指向性がより一層向上する。
（４）さらに、前記の表示器本体に取付フレームを組合せ、該フレームに対し表示器本体の姿勢を調整可能に連結支持する（請求項８〜１０）、あるいはリフレクタと照光カバーとの間に介装した集合レンズ型インナー集光レンズをその外周側に組合せた支持ガイドに対し傾動可能に連結支持した上で、この支持ガイドを支持フレーム，あるいは表示器ケースの周方向に沿って調整可能に嵌合保持する（請求項１１，１２）することにより、ＬＥＤ表示器の配光角度，指向性を広範囲で作業員が視認し易く調整することができる。これにより、ピッキング設備などに適用する表示器として、その点灯状態を離れた位置からでも作業員が容易に目視確認できる視認性の高いＬＥＤ表示器が得られる。
（５）さらに加えて、前記の表示器ケース，集合レンズを揺動可能に支持する支持ガイドに設けた角度調整部に位置決め用のノッチ機構を採用する（請求項１３）ことにより、所望の角度に安定保持できて作業現場での使い勝手性が向上する。
【図面の簡単な説明】
【００１４】
【図１】この発明の実施例１に係わるＬＥＤ表示器の分解斜視図である。
【図２】図１の組立状態を表す図で、（ａ）は正面図、（ｂ）は（ａ）図における矢視Ａ−Ａ断面図である。
【図３】この発明の実施例２に係わるＬＥＤ表示器の分解斜視図である。
【図４】図３の配光カバーを外した状態の外観斜視図である。
【図５】図３の組立状態を表す図で、（ａ）は正面図、（ｂ）は側面図、（ｃ）は（ａ）図の矢視Ｘ−Ｘ断面図である。
【図６】この発明の実施例３に係わるＬＥＤ表示器の構成図で、（ａ）は正面図、（ｂ）は側面図、（ｃ）は（ａ）図の矢視Ｘ−Ｘ断面図である。
【図７】この発明の実施例４に係わるＬＥＤ表示器の構成図で、（ａ）は正面図、（ｂ）は側面図、（ｃ）は（ａ）図の矢視Ｘ−Ｘ断面図である。
【図８】この発明の実施例５に係わるＬＥＤ表示器の構成図で、（ａ）は正面図、（ｂ）は（ａ）図の矢視Ｘ−Ｘ断面図、（ｃ）は（ｂ）図の矢視Ｙ−Ｙ断面図、（ｄ）は（ｃ）図におけるＡ部の拡大図である。
【図９】図８の構成による角度調整例を表す図で、（ａ），（ｂ）はそれぞれ取付フレームに対して表示器本体を異なる向きに位置決め保持した状態の斜視図である。
【図１０】この発明に実施例６に係わるＬＥＤ表示器の分解斜視図である。
【図１１】図１０における集合レンズの角度調整機構の詳細構造図で、（ａ）は集合レンズを支持ガイドに連結した状態の斜視図、（ｂ），（ｃ）はそれぞれ（ａ）図における矢視Ａ部の拡大図，および断面図
【図１２】図９の構成による集合レンズの角度調整例を表す図で、（ａ），（ｂ）はそれぞれ異なる向きに位置決め保持した状態の斜視図である。
【発明を実施するための形態】
【００１５】
以下、この発明による照光表示装置の実施の形態を図１〜図１２に示す実施例に基づいて説明する。
【実施例１】
【００１６】
まず、この発明の請求項１に対応するＬＥＤ表示器の実施例を図１，図２に示す。
【００１７】
各図において、１は底部外周に取付脚１ａを備えた円筒状の表示器ケース、２はＬＥＤ（表面実装型のＬＥＤ素子）、３は複数のＬＥＤ２，および制限抵抗，ダイオード，ツェナーダイオードなどの回路素子をマウントしたプリント基板、４はケーブル、５は表示器ケース１の前面に被せた照光カバーであり、前記プリント基板３の前面には前記ＬＥＤ２に対応する一体形のリフレクタ６が配置され、該リフレクタ７が締結ネジ７によりプリント基板３と共に表示器ケース１の底部に設けた支柱１ｃに固定されている。なお、図示例では、２個の異色ＬＥＤを組として合計７組のＬＥＤが図示のようにプリント基板３の板面にレイアウトしてマウントされている。
【００１８】
ここで、前記リフレクタ６は円盤形になり、その板面には各組のＬＥＤ２に個別対応して開口した穴６ａ，該穴６ａの周域にＬＥＤ２の出射光を前方に向けて反射させる反射面６ｂ、および外周フランジ部６ｃが形成されており、前記フランジ部６ｃをプリント基板３の周縁に嵌め合わせて各組のＬＥＤ２が前記穴６ａに臨むように位置決めしている。また、表示器ケース１の内周面域にはＬＥＤ２からの出射光を反射する反射面１ｂが形成されている。
【００１９】
上記のようにＬＥＤ２をマウントしたプリント基板３の前面に前記構成になる一体形のリフレクタ６を配置し、さらに表示器ケース１の内周面に反射面１ｂを形成することより、個々のＬＥＤ２からの出射光（拡散光）を指向性よく前方の照光カバー５に向けて導光でき、これにより照光カバー５を照らす光量が増して高輝度に照光できる。
【実施例２】
【００２０】
次に、前記実施例１におけるリフレクタ６にインナー集光レンズを組合せて照光の指向性をさらに高めるようにしたこの発明の請求項３，４に係わるＬＥＤ表示器の実施例を図３ないし図５に示す。なお、図３は分解斜視図、図４は照光カバーを外した組立状態の斜視図、図５は組立状態の構造図である。
【００２１】
この実施例においては、前記リフレクタ６の前面に各組のＬＥＤ２と個々に対応するインナー集光レンズ８（小レンズ）が配置されている。この集光レンズ８はその光軸をＬＥＤ２に合わせて、リフレクタ６の開口端面に形成した圧入リブ６ｄの内側に嵌合して照光カバー５との間に介装保持されている。
【００２２】
これにより、インナー集光レンズ８がリフレクタ６と共同してＬＥＤ２から出射した光の指向性，照光面の輝度をさらに高めることができる。
【実施例３】
【００２３】
次に、集光レンズに関する別な実施例を図６に示す。この実施例では、先記した実施例２でリフレクタ６の前面側に配したインナー集光レンズ８に代えて、表示器ケース１の前面に被着した照光カバー５には各組のＬＥＤ２に共通する集光レンズ５ａが形成されている。この構成により、実施例２と同様な高い指向性，照光性が得られる。
【実施例４】
【００２４】
図７は先記した実施例６の応用実施例である。この実施例においては、照光カバー５に形成した集光レンズがプリント基板２に配列した各組のＬＥＤ２と個々に対応するよう光軸を合わせて配列形成した小レンズ５ｂの集まりからなる集合レンズで構成されている。
【００２５】
これにより、先記実施例３の単一の集光レンズ５ａと比べて、照光カバー５を透過する光の指向性，輝度が一段と向上する。
【実施例５】
【００２６】
次に、この発明の請求項８〜１０に係わる実施例を図８，図９に示す。
【００２７】
この実施例は、表示器ケース１（取付脚無し）にＬＥＤ２をマウントしたプリント基板３，照光カバー５，リフレクタ６を搭載した組立体の表示器本体９を取付フレーム１０に搭載し、この取付フレーム１０に対して表示器本体９の姿勢を調整可能に連結して照光面を所望の向きに設定できるようにしたものである。
【００２８】
ここで、前記取付フレーム１０は、据付け面に固定する支持脚１０ａを備えた円筒胴の前端部にリング状の支持ガイド１１（モールド樹脂製）を嵌入支持し、該支持ガイド１１を介して表示器本体９を傾動可能に保持するようにした構造になり、次にその詳細構造を説明する。
【００２９】
すなわち、図８で示すように表示器ケース１の周面には１８０度位置をずらして一対の支軸１ｃを突設し、該支軸１ｃを支持ガイド１１の周上二箇所に形成したリブ部１１ａに形成した角度調整溝１１ｂに嵌入して表示器ケース１を支軸１ｃの周りで傾動可能に架け渡し支持している。ここで、表示器ケース１の支軸１ｃと支持ガイド１１のリブ部１１ａに形成した角度調整溝１１ｂと間には図８（ｄ）に示すようなノッチ機構を設けて表示器ケース１を所望の傾斜角度に保持するようにしている。すなわち、支軸１ｃの軸上には左右に突き出した係合リブ１ｃ−１が形成され、この係合リブ１ｃ−１の先端に対向して角度調整溝１１ｂの内周面には周方向に沿って凹凸状のノッチ溝１１ｂ−１が形成されている。この構成で表示器ケース１の姿勢を傾けると、前記係合リブ１ｃ−１がノッチ溝１１ｂ−１に係合して表示器ケース１がこの傾斜姿勢に係止保持される。
【００３０】
また、支持フレーム１０の開口端周縁には前記支持ガイド１１のリブ部１１ａから側方に突き出た突起１１ｃを嵌入して支持ガイド１１を周方向に位置決め保持する調整溝１０ｂが周上複数箇所に振り分けて刻設されている。そして、この調整溝１０ｂを選択して表示器本体９が所望の方向に向くように支持ガイド１１の取付位置をセットした上で、前記の角度調節機構で表示器本体９の傾斜姿勢を調整することにより、図９（ａ），（ｂ）で表すように、支持フレーム１０に対して表示器本体９を略３６０度の範囲で所望の向きに向けて照光することができる。
【００３１】
これにより、ピッキング設備に適用するＬＥＤ表示器について、表示器の照光面を個別に現場作業員から見やすい向きに調整して表示器の点灯状態を視認性よく目視確認することができる。
【実施例６】
【００３２】
次に、この発明の請求項５，１１，１２に係わる実施例を図１０〜図１２に示す。
【００３３】
先に述べた実施例５では、表示器本体に取付フレームを組合せて表示器本体を所望の向きに可変調整するようにしているが、この実施例６では表示器ケース１を据付箇所に固定設置のまま、表示器ケース１に内装した集光レンズの姿勢（傾斜角度，周方向の向き）を変えて配光の向きを広範囲に可変調整できるようにしたものであり、その詳細構造を次記する。
【００３４】
すなわち、図１０に示すように、この実施例ではリフレクタ６の前方に配して表示器ケース１に内装したたインナー集光レンズ８を、プリント基板にマウントした各組のＬＥＤ２と個々に対応する小レンズ８ａを一体化した一枚の集合レンズで構成し、かつこの集合レンズ型の集光レンズ８をリング状の支持ガイド（モールド樹脂製）１２に傾動可能に連結支持した上で、この支持ガイド１２を表示器ケース１の開口縁に嵌合して周方向に位置決め保持するようにしている。
【００３５】
ここで、前記した集合型のインナー集光レンズ８の周縁二箇所には１８０度位置をずらして一対の支軸８ｂを突設し、該支軸８ｂを支持ガイド１２の周上二箇所に形成したリブ部１２ａの角度調整溝１２ｂに嵌挿して集光レンズ８を支軸８ｂの周りで傾動可能に架け渡し支持している。さらに、表示器ケース１の開口端周縁には前記支持ガイド１２のリブ部１２ａを嵌合して該支持ガイド１２を周方向に位置決め保持する調整溝１ｄが周上の複数箇所に振り分けて形成されている。
【００３６】
また、インナー集光レンズ８の支軸８ｂと支持ガイド１２のリブ部１２ａに形成した角度調整溝１２ｂとの間には、先記実施例５で述べたと同様なノッチ機構を設けて集光レンズ８を所望の傾斜角度に係止保持するようにしている。すなわち、集光レンズ８の支軸８ｂには左右に突き出した係合リブ８ｂ−１を形成し、この係合リブ８ｂ−１の先端に対向して角度調整溝１２ｂの内周面には周方向に沿って凹凸状のノッチ溝１２ｂ−１が形成されており、支軸８ｂの回りで集光レンズ８を傾けることにより、前記係合リブ８ｂ−１がノッチ溝１２ｂ−１に係合して集光レンズ８がこの傾斜姿勢に係止保持される。
【００３７】
上記の構成で、集光レンズ８の傾斜角度と、該集光レンズを支持した支持ガイド１２の周方向位置を組合せて調整することにより、図１２（ａ），（ｂ）で例示するように集光レンズ８の向きを広範囲に変えて、ＬＥＤ２の出射光を所望の向きに配光して照光することができる。
【００３８】
これにより、ピッキング設備適用するＬＥＤ表示器について、先記の実施例５と同様、各個の表示器の点灯状態を現場の作業員から見やすい向きに調整して視認性よく目視確認することができる。
【産業上の利用可能性】
【００３９】
以上述べた各実施例はピッキングシステムに適用するピッキング表示灯を対象に説明したが、当該ＬＥＤ表示器の用途はこれに限定されるものではなく、例えばなマン・マシーン・インターフェースの表示灯にも適用することが可能である。
【符号の説明】
【００４０】
１    表示器ケース
１ａ  取付脚
１ｂ  反射面
１ｃ  支軸
１ｃ−１係合リブ
１ｄ  集光レンズの位置決め調整溝
２    ＬＥＤ
３    プリント基板
４    ケーブル
５    照光カバー
５ａ  集光レンズ
５ｂ  集合レンズの小レンズ
６    リフレクタ
６ａ  開口穴
６ｂ  反射面
７    締結ネジ
８    インナー集光レンズ
８ａ  集合レンズの小レンズ
８ｂ  支軸
８ｂ−１  係合リブ
９    表示器本体
１０    取付フレーム
１０ａ  取付脚
１０ｂ  表示器本体の位置決め調整溝
１１    表示器本体の支持ガイド
１１ａ  リブ部
１１ｂ  角度調整溝
１１ｂ−１  ノッチ溝
１２    集光レンズの支持ガイド
１２ａ  リブ部
１２ｂ  角度調整溝
１２ｂ−１  ノッチ溝
【図１】
2010175827.tif 000003
【図２】
2010175827.tif 000004
【図３】
2010175827.tif 000005
【図４】
2010175827.tif 000006
【図５】
2010175827.tif 000007
【図６】
2010175827.tif 000008
【図７】
2010175827.tif 000009
【図８】
2010175827.tif 000010
【図９】
2010175827.tif 000011
【図１０】
2010175827.tif 000012
【図１１】
2010175827.tif 000013
【図１２】
2010175827.tif 000014